(57)【特許請求の範囲】
【請求項１】
携帯端末機を利用して、人体のツボ、皮膚の湿度や体温等の人体部位を検知する人体部位検知方法であって、検知する人体部位がツボ位置の場合であり、
人体の皮膚のインピーダンスがツボ位置で変化することに基づいてツボ位置を検知する人体部位検知方法であり、
携帯端末機のジャックに携帯端末機とは別体のツボ検知器のプラグを接続し、
携帯端末機の音声信号発生回路から出力される音声信号から所定周波数帯域の測定信号を携帯端末機のアプリにより生成し、
前記測定信号を前記ジャックに接続されているツボ検知器のプラグを通して当該ツボ検知器の出力電極に供給し、その出力電極を人体に接触させて人体に印加し、
その出力電極を移動させて人体への接触部位を変えて、それぞれの接触部位のインピーダンスに基づく前記測定信号の変化をツボ検知信号としてツボ検知器の入力電極に入力し、入力された検知信号を前記プラグのＭＩＣ端子から前記ジャックを通して携帯端末機に入力し、
入力された検知信号から前記測定信号の周波数帯域と同じ又は略同じ周波数帯域の信号を前記アプリにより抽出し、
抽出されたツボ検知信号をリアルタイムで携帯端末機のディスプレイに表示して、ツボ検知信号の変化の大きな部位をツボとして検知する、
ことを特徴とする人体部位検知方法。
【請求項２】
請求項１記載のツボを検知する人体部位検知方法において、
検知されたツボ位置に、目視可能なマークを、ツボ検知器のマーキング機能により表示する、
ことを特徴とする人体部位検知方法。
【請求項３】
請求項１又は請求項２記載のツボを検知する人体部位検知方法において、
ツボ検知終了後に、自動的に或いは手動操作により、ツボ検知器から刺激信号を発生させ、その刺激信号は、出力電極を通して、先に検知されたツボ位置又は人体の他の部位に印加されるものである、
ことを特徴とする人体部位検知方法。
【請求項４】
携帯端末機を利用して、人体のツボ、皮膚の湿度や体温等の人体部位を検知する人体部位検知方法であって、検知する人体部位が皮膚の保湿量又は保湿度の場合であり、
人体の皮膚のインピーダンスが皮膚の保湿量により変化することに基づいて、インピーダンス変化から保湿度又は保湿量を検知する人体部位検知方法であり、
携帯端末機のジャックに、携帯端末機とは別体の保湿検知器のプラグを接続し、
携帯端末機の音声信号発生回路から出力される音声信号から所定周波数帯域の測定信号を携帯端末機のアプリにより生成し、
前記測定信号を前記ジャックに接続されている保湿検知器のプラグを通して当該保湿検知器の出力電極に供給し、出力電極を人体に接触させて人体に印加し、
接触部位のインピーダンスに応じて変化する前記出力信号を保湿検知信号として保湿検知器の入力電極に入力し、入力された保湿検知信号を前記プラグのＭＩＣ端子から前記ジャックを通して携帯端末機に入力し、
入力した保湿検知信号から前記測定信号の周波数帯域と同じ又は略同じ周波数帯域の信号を、前記アプリにより抽出し、
抽出された保湿検知信号を携帯端末機のディスプレイに表示して、皮膚の保湿度又は保湿量を検知する、
ことを特徴とする人体部位検知方法。
【請求項５】
請求項４記載の皮膚の保湿度又は保湿量を検知する人体部位検知方法において、
出力電極を移動させて人体への接触部位を変えて、夫々の接触部位から得られる検知信号を携帯端末機のアプリにより処理して、各部位の保湿度又は保湿量を検知し、携帯端末機のディスプレイに表示する、
ことを特徴とする人体部位検知方法。
【請求項６】
請求項４又は請求項５記載の皮膚の保湿度又は保湿量を検知する人体部位検知方法において、
測定された保湿度又は保湿量を携帯端末機のディスプレイにリアルタイムに表示するか、又は、携帯端末機に記憶させて蓄積した保湿度度又は保湿量データを携帯端末機のディスプレイに表示する、
ことを特徴とする人体部位検知方法。
【請求項７】
携帯端末機を利用して、人体のツボ、皮膚の湿度や体温等の人体部位を検知する人体部位検知方法であって、検知する部位が人体の体温の場合であり、
体温検知器の体温センサのインピーダンスが人体の体温により変化することに基づいて、体温センサのインピーダンス変化から体温を検知する人体部位検知方法であり、
携帯端末機のジャックに携帯端末機とは別体の体温検知器のプラグを接続し、
携帯端末機の音声信号発生回路から出力される音声信号から所定周波数帯域の測定信号を携帯端末機のアプリにより生成し、
前記測定信号を前記ジャックに接続されている体温検知器のプラグを通して当該体温検知器の体温センサに供給し、前記体温センサを人体に接触させて前記測定信号を印加し、
接触部位のインピーダンスに基づく前記測定信号を体温検知信号として前記プラグのＭＩＣ端子から前記ジャックを通して携帯端末機に入力し、
入力された体温検知信号から前記測定信号の周波数帯域と同じ又は略同じ周波数帯域の信号を、前記アプリにより抽出し、
抽出された体温検知信号を携帯端末機のディスプレイに表示して、人体の体温を検知する、
ことを特徴とする人体部位検知方法。
【請求項８】
請求項７記載の人体の体温を検知する人体部位検知方法において、
測定された体温を携帯端末機のディスプレイにリアルタイムに表示するか、又は、携帯端末機に記憶させて蓄積した体温データを携帯端末機のディスプレイに表示する、
ことを特徴とする人体部位検知方法。
【請求項９】
携帯端末機に接続して使用する人体部位検知器において、
人体部位検知器がツボ検知器であり、
ツボ検知器は片手で持つことができ、携帯端末機のジャックに脱着可能なプラグと、携帯端末機の音声信号発生回路から出力される音声信号から携帯端末機のアプリにより生成した所定周波数帯域の測定信号を人体に印加することのできる出力電極と、人体から検知信号を得て前記プラグに入力することのできる入力電極とを備え、
前記プラグはＬ端子とＲ端子の双方又はいずれか一方とＭＩＣ端子とＧＮＤ端子を備え、
前記プラグをジャックに接続し、ツボ検知器を手で持って出力電極を人体に接触させ、人体への出力電極の接触部位を変えると、それぞれの接触部位のインピーダンスに応じて変化する測定信号がツボ検知器の入力電極に入力され、その測定信号はツボ検知信号として前記プラグのＭＩＣ端子から前記ジャックを通して携帯端末機に入力されるようにした、
ことを特徴とする人体部位検知器。
【請求項１０】
請求項９記載の人体部位検知器において、
ツボ検知器が、検知されたツボ位置にマークを表示できるマーキング機能を備えた、
ことを特徴とする人体部位検知器。
【請求項１１】
請求項９又は請求項１０記載の人体部位検知器において、
ツボ検知器が、刺激信号発生回路と、切替え器を備え、切替え器はツボ検知終了後に自動的に又は手動操作により、刺激信号発生回路と測定信号経路及び検知信号経路とを切替え可能である、
ことを特徴とする人体部位検知器。
【請求項１２】
携帯端末機に接続して使用する人体部位検知器において、
人体部位検知器が保湿検知器であり、
保湿検知器は片手で持つことができ、携帯端末機のジャックに脱着可能なプラグと、携帯端末機の音声信号発生回路から出力される音声信号から携帯端末機のアプリにより生成した所定周波数帯域の測定信号を人体に印加することのできる出力電極と、人体から検知信号を得て前記プラグに入力することのできる入力電極とを備え、
前記プラグはＬ端子とＲ端子の双方又はいずれか一方とＭＩＣ端子とＧＮＤ端子を備え、
前記プラグをジャックに接続し、保湿検知器の出力電極と入力電極を人体に接触させると、その接触部位のインピーダンスに応じて変化する前記測定信号が検知器の入力電極に入力され、その測定信号は保湿検知信号として前記プラグのＭＩＣ端子から前記ジャックを通して携帯端末機に入力されるようにした、
ことを特徴とする人体部位検知器。
【請求項１３】
携帯端末機に接続して使用する人体部位検知器において、
人体部位検知器が体温検知器であり、
体温検知器は携帯端末機のジャックに脱着可能なプラグと、人体に接触させることができる体温センサを備え、
体温センサは体温に応じてのインピーダンスが変化するものであり、
前記プラグはＬ端子とＲ端子の双方又はいずれか一方とＭＩＣ端子とＧＮＤ端子を備え、
前記体温センサには携帯端末機の音声信号発生回路から出力される音声信号から携帯端末機のアプリにより生成した所定周波数帯域の測定信号を印加することができ、
前記プラグをジャックに接続し、前記体温センサを人体に接触させると、その接触部位の体温に応じて変化する前記測定信号が体温検知信号として前記プラグのＭＩＣ端子から前記ジャックを通して携帯端末機に入力されるようにした、
ことを特徴とする人体部位検知器。
【請求項１４】
請求項９から請求項１３のいずれか１項に記載の人体部位検知器において、
人体部位検知器が出力側保護回路と入力側保護回路をも備え、
前記出力側保護回路は測定信号に加わる異常信号を減衰させてその異常信号から携帯端末機を保護できるように出力経路に設けられ、
前記入力側保護回路は検出信号に加わる異常信号を減衰させてその異常信号から携帯端末機を保護できるように入力経路に設けられた、
ことを特徴とする人体部位検知器。
【請求項１５】
携帯端末機に接続して使用する人体部位検知装置であり、
人体部位検知装置がツボ検知装置であり、
携帯端末機と、携帯端末機で機能するアプリと、ツボ検知器を備え、
前記アプリは、携帯端末機の音声信号発生回路から出力される音声信号から所定周波数帯域の測定信号を生成して出力電極に出力する測定信号生成機能と、人体から入力電極に入力される検出信号から前記測定信号と同じ又は略同じ周波数帯域の信号を抽出する検知信号抽出機能と、抽出された検知信号を処理する処理機能と、処理後の信号を携帯端末機のディスプレイにリアルタイムに表示できる表示機能を備え、
前記ツボ検知器はプラグを携帯端末機のジャックに接続し、前記出力電極と入力電極を人体の別々の部位に接触させると、前記測定信号が携帯端末機のジャック‐ツボ検知器のプラグ‐ツボ検知器の出力電極の経路で人体に印加され、人体への出力電極の接触部位を変えることにより、接触部位のインピーダンスに応じて前記測定電圧が変化し、変化した信号がツボ検知信号として入力電極に入力され、前記ツボ検知信号がツボ検知器のプラグのＭＩＣ端子から携帯端末機のジャックに入力され、前記アプリにより処理されて、リアルタイムで携帯端末機のディスプレイに表示されるようにした、
ことを特徴とする人体部位検知装置。
【請求項１６】
請求項１５記載の人体部位検知装置において、
ツボ検知器が刺激信号発生回路と切替え器を備え、
切替え器は、ツボが検知されたことがアプリにより判断されると、前記切替え器が自動的に又は手動操作によりツボ検知側から刺激出力側に切替えられて、刺激信号発生回路から出力される刺激信号がツボ検知器から人体に印加されるようにした、
ことを特徴とする人体部位検知装置。
【請求項１７】
携帯端末機に接続して使用する人体部位検知装置であり、
人体部位検知装置が保湿検知装置であり、
携帯端末機と、携帯端末機で機能するアプリと、保湿検知器を備え、
前記アプリは、携帯端末機の音声信号発生回路から出力される音声信号から所定周波数帯域の測定信号を生成して出力電極に出力する測定信号生成機能と、人体から入力電極に入力される検出信号から前記測定信号と同じ又は略同じ周波数帯域の信号を抽出する検知信号抽出機能と、抽出された保湿検知信号を処理する処理機能と、処理後の保湿検知信号を携帯端末機のディスプレイに表示できる表示機能を備え、プラグを携帯端末機のジャックに接続し、前記出力電極と入力電極を人体の別々の部位に接触させると、前記測定信号が携帯端末機のジャック‐保湿検知器のプラグ‐保湿検知器の出力電極の経路で人体に印加され、人体への出力電極の接触部位を変えることにより、接触部位のインピーダンスに応じて前記測定電圧が変化し、その変化する信号が検知信号として入力電極に入力され、入力された検知信号が保湿検知器のプラグのＭＩＣ端子から携帯端末機のジャックに入力され、前記アプリにより保湿検知信号として処理されて携帯端末機のディスプレイに表示されるようにした、
ことを特徴とする人体部位検知装置。
【請求項１８】
請求項１７記載の人体部位検知装置において、
検知された保湿度又は保湿量が携帯端末機のアプリにより携帯端末機に蓄積され、蓄積された保湿データを携帯端末機のディスプレイに表示できるようにした、
ことを特徴とする人体部位検知装置。
【請求項１９】
携帯端末機に接続して使用する人体部位検知装置であり、
人体部位検知装置が体温検知装置であり、
携帯端末機と、携帯端末機で機能するアプリと、体温検知器を備え、
前記アプリは、携帯端末機の音声信号発生回路から出力される音声信号から所定周波数帯域の測定信号を生成して出力電極から体温センサに出力する測定信号生成機能と、体温センサから得られる検出信号中の前記測定信号と同じ又は略同じ周波数帯域の信号を抽出する検出信号抽出機能と、抽出信号を処理する処理機能と、処理後の信号を携帯端末機のディスプレイに表示できる表示機能を備え、
前記体温検知器はプラグを携帯端末機のジャックに接続し、前記体温センサを人体に接触させると、前記測定信号が携帯端末機のジャック‐体温検知器のプラグ‐体温検知器の体温センサの経路で体温センサに印加され、前記測定電圧が人体の接触部位の温度に対応したインピーダンスに応じて変化し、その変化する測定信号が体温検知信号として体温センサで検知され、前記体温検知信号が体温検知器のプラグのＭＩＣ端子から携帯端末機のジャックに入力され、前記アプリにより処理されて携帯端末機のディスプレイに表示されるようにした、
ことを特徴とする人体部位検知装置。
【請求項２０】
請求項１９記載の人体部位検知装置において、
検知された体温が携帯端末機のアプリにより携帯端末機に蓄積され、蓄積された体温データを携帯端末機のディスプレイに表示できるようにした、
ことを特徴とする人体部位検知装置。
【発明の詳細な説明】
【技術分野】
【０００１】
本発明は、携帯端末機利用の人体部位検知方法と、携帯端末機に装着して使用する人体部位検知器と、携帯端末機と人体部位検知器で構成される人体部位検知装置に関し、携帯端末機を利用して、身体（人体）のツボ、皮膚の保湿量（度）、体温等を検知（測定を含む）できるのは勿論のこと、検知したツボに刺激を加えることもでき、家庭用の健康機器、美容器、低周波治療器等（これらを「家庭用健康機器」という）の補助機器（ツボ検知器、保湿計、体温計）としても利用できるものである。
【背景技術】
【０００２】
東洋医学では、指圧や鍼灸で経穴（ツボ）を刺激することによって、病状の診断や病状が改善されることが知られている。ツボは人体に３５０程度存在するといわれている。そのため、素人がツボの位置を的確に見つけるのは難しい。
【０００３】
人体の中でも、ツボと呼ばれる部位は他の部位よりもインピーダンスが低いことが知られている。鍼灸術では鍼灸を人体のツボに施術するのが効果的であることが知られている。家庭用健康機器をはじめとする各種電気機器では、人体のツボに電気的或いは機械的刺激を加えるものもある。しかし、人体のツボは素人には探しにくいため、ツボへの鍼灸の施術、電位供給、刺激等を効果的に行うことが難しかった。
【０００４】
人間の皮膚は保湿量（度）が多いと潤いや張りが出たりし、少ないと乾燥肌になって荒れやすくなる。人間の体温は身体の調子によって変化することから、体温測定は体調確認、病状把握、健康管理等の面から非常に重要である。体温測定は体調変化に気付いたとき、或いは起床後、就寝前といった定時に規則的に行うのが望ましいとされている。
【０００５】
従来、人体の前記インピーダンス特性に着目したツボ検知装置が提案されている（特許文献１〜３）。体温計には各種のものがある（特許文献４、５）。
【先行技術文献】
【特許文献】
【０００６】
【特許文献１】特開平０８−２１５２７６号公報
【特許文献２】実用新案登録第３００５４２１号公報
【特許文献３】実用新案登録第３００５４２２号公報
【特許文献４】特開平０５―１１８９２９号公報
【特許文献５】特開平１０−１１８０３３号公報
【発明の概要】
【発明が解決しようとする課題】
【０００７】
従来のツボ検知装置は、ツボ検知以外には使用できないものが多いため広く普及しているとは言い難く、ツボ検知専用であるため高価でもある。また、設置型であることが多いため持ち運びに不便であり、外出先では使用できないという難点もある。
【０００８】
体温計は持ち運び可能であるが、計測するには脇の下に挟んだり、耳に当てたりしなければならないため、人前では計測しにくいといった難点があった。
【０００９】
本発明の解決課題は、スマートフォンやタブレット型端末機、携帯型ゲーム機といった汎用の各種携帯端末機のイヤホンジャックに接続して身体のツボを手軽に検知することができ、素人でもツボの位置を的確に検知することができ、外出先でも、人前でも、手軽に体温測定や皮膚の保湿測定ができるようにすることにある。
【課題を解決するための手段】
【００１０】
［人体部位（ツボ）検知方法］
本発明の人体部位検知方法（ツボ検知方法）は、スマートフォンやタブレット型端末機、携帯型ゲーム機等の携帯端末機を利用して、人体のツボ、皮膚の湿度や体温等（以下「人体部位」という：発明の詳細な説明、特許請求の範囲において同じ）を検知する人体部位検知方法であって、人体部位がツボの場合であり、人体の皮膚のインピーダンスがツボ位置で変化することに基づいてツボ位置を検知する人体部位検知方法であり、携帯端末機のイヤホンジャック（以下「ジャック」という：発明の詳細な説明、特許請求の範囲において同じ）に携帯端末機とは別体のツボ検知器のイヤホンプラグ（以下「プラグ」という：発明の詳細な説明、特許請求の範囲において同じ）を接続し、携帯端末機の音声信号発生回路から出力される音声信号から所定周波数帯域の測定信号を携帯端末機のアプリケーションソフト（以下「アプリ」という：発明の詳細な説明、特許請求の範囲において同じ）により生成し、前記測定信号を前記ジャックに接続されているツボ検知器のプラグを通して当該ツボ検知器の出力電極に供給し、その出力電極を人体に接触させて人体に印加し、その出力電極を移動させて人体への接触部位を変えて、それぞれの接触部位のインピーダンスに基づく前記測定信号の変化をツボ検知信号としてツボ検知器の入力電極に入力し、入力された検知信号を前記プラグのＭＩＣ端子から前記ジャックを通して携帯端末機に入力し、入力された検知信号から前記測定信号の周波数帯域と同じ又は略同じ周波数帯域の信号を前記アプリにより抽出し、抽出されたツボ検知信号をリアルタイムで携帯端末機のディスプレイに表示して、ツボ検知信号の変化の大きな部位をツボとして検知する人体部位検知方法である。
【００１１】
前記ツボ検知方法では、検知されたツボ位置に、目視可能なマークを、ツボ検知器のマーキング機能により表示することもできる。
【００１２】
［ツボ検知方法及び刺激印加方法］
前記ツボ検知方法では、ツボ検知終了後に、自動的に或いは手動操作により、ツボ検知器から刺激信号を発生させ、その刺激信号を、出力電極を通して、先に検知されたツボ位置又は人体の他の部位に印加することもできる。この場合、刺激信号をツボ以外の部位に印加することもできる。前記自動切替えは、ツボが検知されたことを前記アプリにより自動的に判断し、測定信号から刺激信号に自動的に切替えて行うことができる。刺激は電気信号ではなく、機械的振動、温熱(温灸)等であってもよい。
【００１３】
［人体部位（保湿）検知方法］
本発明の人体部位検知方法（保湿検知方法）は、携帯端末機を利用して、人体のツボ、皮膚の湿度や体温等の人体部位を検知する人体部位検知方法であって、検知する人体部位が皮膚の保湿度又は保湿量の場合であり、人体の皮膚のインピーダンスが皮膚の保湿量により変化することに基づいて、インピーダンス変化から保湿度又は保湿量を検知する人体部位検知方法であり、携帯端末機のジャックに、携帯端末機とは別体の保湿検知器のプラグを接続し、携帯端末機の音声信号発生回路から出力される音声信号から所定周波数帯域の測定信号を携帯端末機のアプリにより生成し、前記測定信号を前記ジャックに接続されている保湿検知器のプラグを通して当該保湿検知器の出力電極に供給し、出力電極を人体に接触させて人体に印加し、接触部位のインピーダンスに応じて変化する前記出力信号を保湿検知信号として保湿検知器の入力電極に入力し、入力された保湿検知信号を前記プラグのＭＩＣ端子から前記ジャックを通して携帯端末機に入力し、入力した保湿検知信号から前記測定信号の周波数帯域と同じ又は略同じ周波数帯域の信号を、前記アプリにより抽出し、抽出された保湿検知信号を携帯端末機のディスプレイに表示して、皮膚の保湿度又は保湿量を検知する方法である。
【００１４】
前記皮膚の保湿度又は保湿量を検知する人体部位検知方法において、出力電極を移動させて人体への接触部位を変えて、夫々の接触部位（目尻、おでこ等）から得られる検知信号を携帯端末機のアプリにより演算処理、解析等（以下「処理」という：発明の詳細な説明、特許請求の範囲において同じ）して、各部位の保湿度又は保湿量を検知し、携帯端末機のディスプレイに表示することもできる。前記人体部位検知方法において、測定された保湿度又は保湿量を携帯端末機のディスプレイにリアルタイムに表示するか、又は、携帯端末機に記憶させて蓄積した保湿度度又は保湿量データを携帯端末機のディスプレイに表示することもできる。表示形式は表形式、グラフ形式といった各種形式とすることができる。
【００１５】
［人体部位（体温）検知方法］
本発明の人体部位検知方法（体温検知方法）は、携帯端末機を利用して、人体のツボ、皮膚の湿度や体温等の人体部位を検知する人体部位検知方法であって、検知する部位が人体の体温の場合であり、体温検知器の体温センサのインピーダンスが人体の体温により変化することに基づいて、体温センサのインピーダンス変化から体温を検知する人体部位検知方法であり、携帯端末機のジャックに携帯端末機とは別体の体温検知器のプラグを接続し、携帯端末機の音声信号発生回路から出力される音声信号から所定周波数帯域の測定信号を携帯端末機のアプリにより生成し、前記測定信号を前記ジャックに接続されている体温検知器のプラグを通して当該体温検知器の体温センサ（例えばサーミスタ）に供給し、前記体温センサを人体に接触させて前記測定信号を印加し、接触部位のインピーダンスに基づく前記測定信号を体温検知信号として前記プラグのＭＩＣ端子から前記ジャックを通して携帯端末機に入力し、入力された体温検知信号から前記測定信号の周波数帯域と同じ又は略同じ周波数帯域の信号を、前記アプリにより抽出し、抽出された体温検知信号を携帯端末機のディスプレイに表示して、人体の体温を検知する方法である。
【００１６】
前記人体の体温を検知する人体部位検知方法において、測定された体温を携帯端末機のディスプレイにリアルタイムに表示するか、又は、携帯端末機に記憶させて蓄積した体温データを携帯端末機のディスプレイに表示することもできる。表示形式は表形式、グラフ形式といった各種形式とすることができる。
【００１７】
前記いずれの人体部位検知方法でも、人体から得られる検知信号から、人体に印加する測定信号の周波数帯域と同じ（略同じを含む：発明の詳細な説明、特許請求の範囲において同じ）周波数帯域の信号を抽出（フィルタリング）して、不要信号（ノイズ等）を除去して検知信号とすることができる。前記信号の抽出にはＦＦＴ（フーリエ変換）を用いることができる。
【００１８】
［人体部位（ツボ）検知器］
本発明の人体部位検知器（ツボ検知器）は、携帯端末機に接続して使用するものであり、ツボ検知器は片手で持つことができ、携帯端末機のジャックに脱着可能なプラグと、携帯端末機の音声信号発生回路から出力される音声信号から携帯端末機のアプリにより生成した所定周波数帯域の測定信号を人体に印加することのできる出力電極と、人体から検知信号を得て前記プラグに入力することのできる入力電極とを備え、前記プラグはＬ端子とＲ端子の双方又はいずれか一方とＭＩＣ端子とＧＮＤ端子を備え、前記プラグをジャックに接続し、ツボ検知器を手で持って出力電極を人体に接触させ、人体への出力電極の接触部位を変えると、それぞれの接触部位のインピーダンスに応じて変化する測定信号がツボ検知器の入力電極に入力され、その測定信号はツボ検知信号として前記プラグのＭＩＣ端子から前記ジャックを通して携帯端末機に入力されるようにしたものである。
【００１９】
前記ツボ検知器は、ツボ検知器が、検知されたツボ位置にマークを表示できるマーキング機能を備えたものとすることができる。前記ツボ検知器において、ツボ検知器が、刺激信号発生回路と、切替え器を備え、切替え器はツボ検知終了後に自動的に又は手動操作により、刺激信号発生回路と測定信号経路及び検知信号経路とを切替え可能とすることもできる。
【００２０】
［人体部位（保湿）検知器］
本発明の人体部位検知器（保湿検知器）は、携帯端末機に接続して使用するものであり、保湿検知器は片手で持つことができ、携帯端末機のジャックに脱着可能なプラグと、携帯端末機の音声信号発生回路から出力される音声信号から携帯端末機のアプリにより生成した所定周波数帯域の測定信号を人体に印加することのできる出力電極と、人体から検知信号を得て前記プラグに入力することのできる入力電極とを備え、前記プラグはＬ端子とＲ端子の双方又はいずれか一方とＭＩＣ端子とＧＮＤ端子を備え、前記プラグをジャックに接続し、保湿検知器の出力電極と入力電極を人体に接触させると、その接触部位のインピーダンスに応じて変化する前記測定信号が検知器の入力電極に入力され、その測定信号は保湿検知信号として前記プラグのＭＩＣ端子から前記ジャックを通して携帯端末機に入力されるようにしたものである。
【００２１】
［人体部位（体温）検知器］
本発明の人体部位検知器（体温検知器）は、携帯端末機に接続して使用するものであり、体温検知器は携帯端末機のジャックに脱着可能なプラグと、人体に接触させることができる体温センサを備え、体温センサは体温に応じてのインピーダンスが変化するものであり、前記プラグはＬ端子とＲ端子の双方又はいずれか一方とＭＩＣ端子とＧＮＤ端子を備え、前記体温センサには携帯端末機の音声信号発生回路から出力される音声信号から携帯端末機のアプリにより生成した所定周波数帯域の測定信号を印加することができ、前記プラグをジャックに接続し、前記体温センサを人体に接触させると、その接触部位の体温に応じて変化する前記測定信号が体温検知信号として前記プラグのＭＩＣ端子から前記ジャックを通して携帯端末機に入力されるようにしたものである。
【００２２】
［人体部位検知器の保護回路］
前記人体部位検知器において、人体部位検知器が出力側保護回路と入力側保護回路をも備え、前記出力側保護回路は測定信号に加わる異常信号を減衰させてその異常信号から携帯端末機を保護できるように出力経路に設けられ、前記入力側保護回路は検出信号に加わる異常信号を減衰させてその異常信号から携帯端末機を保護できるように入力経路に設けられたものとすることもできる。
【００２３】
［人体部位（ツボ）検知装置］
本発明の人体部位検知装置（ツボ検知装置）は、携帯端末機に接続して使用するものであり、携帯端末機と、携帯端末機で機能するアプリと、ツボ検知器を備え、前記アプリは、携帯端末機の音声信号発生回路から出力される音声信号から所定周波数帯域の測定信号を生成して出力電極に出力する測定信号生成機能と、人体から入力電極に入力される検出信号から前記測定信号と同じ又は略同じ周波数帯域の信号を抽出する検知信号抽出機能と、抽出された検知信号を処理する処理機能と、処理後の信号を携帯端末機のディスプレイにリアルタイムに表示できる表示機能を備え、前記ツボ検知器はプラグを携帯端末機のジャックに接続し、前記出力電極と入力電極を人体の別々の部位に接触させると、前記測定信号が携帯端末機のジャック‐ツボ検知器のプラグ‐ツボ検知器の出力電極の経路で人体に印加され、人体への出力電極の接触部位を変えることにより、接触部位のインピーダンスに応じて前記測定電圧が変化し、変化した信号がツボ検知信号として入力電極に入力され、前記ツボ検知信号がツボ検知器のプラグのＭＩＣ端子から携帯端末機のジャックに入力され、前記アプリにより処理されて、リアルタイムで携帯端末機のディスプレイに表示されるようにしたものである。
【００２４】
前記ツボ検知装置は、ツボ検知器が刺激信号発生回路と切替え器を備え、切替え器は、ツボが検知されたことがアプリにより判断されると、前記切替え器が自動的に又は手動操作によりツボ検知側から刺激出力側に切替えられて、刺激信号発生回路から出力される刺激信号がツボ検知器から人体に印加されるようにしたものでもよい。
【００２５】
［人体部位（保湿）検知装置］
本発明の人体部位検知装置（保湿検知装置）は、携帯端末機に接続して使用するものであり、携帯端末機と、携帯端末機で機能するアプリと、保湿検知器を備え、前記アプリは、携帯端末機の音声信号発生回路から出力される音声信号から所定周波数帯域の測定信号を生成して出力電極に出力する測定信号生成機能と、人体から入力電極に入力される検出信号から前記測定信号と同じ又は略同じ周波数帯域の信号を抽出する検知信号抽出機能と、抽出された保湿検知信号を処理する処理機能と、処理後の保湿検知信号を携帯端末機のディスプレイに表示できる表示機能を備え、プラグを携帯端末機のジャックに接続し、前記出力電極と入力電極を人体の別々の部位に接触させると、前記測定信号が携帯端末機のジャック‐保湿検知器のプラグ‐保湿検知器の出力電極の経路で人体に印加され、人体への出力電極の接触部位を変えることにより、接触部位のインピーダンスに応じて前記測定電圧が変化し、その変化する信号が検知信号として入力電極に入力され、入力された検知信号が保湿検知器のプラグのＭＩＣ端子から携帯端末機のジャックに入力され、前記アプリにより保湿検知信号として処理されて携帯端末機のディスプレイに表示されるようにしたものである。前記保湿検知装置において、検知された保湿度又は保湿量が携帯端末機のアプリにより携帯端末機に蓄積され、蓄積された保湿データを携帯端末機のディスプレイに表示することもできる。
【００２６】
［人体部位（体温）検知装置］
本発明の人体部位検知装置（体温検知装置）は、携帯端末機に接続して使用するものであり、携帯端末機と、携帯端末機で機能するアプリと、体温検知器を備え、前記アプリは、携帯端末機の音声信号発生回路から出力される音声信号から所定周波数帯域の測定信号を生成して出力電極から体温センサに出力する測定信号生成機能と、体温センサから得られる検出信号中の前記測定信号と同じ又は略同じ周波数帯域の信号を抽出する検出信号抽出機能と、抽出信号を処理する処理機能と、処理後の信号を携帯端末機のディスプレイに表示できる表示機能を備え、前記体温検知器はプラグを携帯端末機のジャックに接続し、前記体温センサを人体に接触させると、前記測定信号が携帯端末機のジャック‐体温検知器のプラグ‐体温検知器の体温センサの経路で体温センサに印加され、前記測定電圧が人体の接触部位の温度に対応したインピーダンスに応じて変化し、その変化する測定信号が体温検知信号として体温センサで検知され、前記体温検知信号が体温検知器のプラグのＭＩＣ端子から携帯端末機のジャックに入力され、前記アプリにより処理されて携帯端末機のディスプレイに表示されるようにすることができる。前記体温検知装置において、検知された体温が携帯端末機のアプリにより携帯端末機に蓄積され、蓄積された体温データを携帯端末機のディスプレイに表示することもできる。
【発明の効果】
【００２７】
本発明の人体部位（ツボ）検知方法、人体部位（ツボ）検知器、人体部位（ツボ）検知装置は次のような効果がある。
（１）ツボ検知専用機器を必要とせず、汎用の携帯端末機を使用して手軽にツボを検知することができる。
（２）携帯端末機利用の検知であるため、外出中でもツボを検知することができる。
（３）既存の携帯端末機にアプリを入力すれば使用できるため導入コストが安価である。
（４）刺激信号発生回路を備えた場合は、ツボ検知器を使用してツボを検知できるだけでなく、検知したツボに刺激を印加することも、他の箇所に刺激信号を印加することもできるので低周波電位治療器や低周波電位美容器に代えて使用することもできる。
（５）測定信号の周波数帯域と同じ帯域の検知信号を得ることができるので、ツボ位置の検知精度が向上する。
（６）ツボ位置を携帯端末機のディスプレイに表示できるので、ツボ位置を視覚的に把握することができ、素人でも手軽に、正確にツボ位置を検知することができる。
（７）検知したツボ位置に目視可能なマークを付することができるので、ツボ位置検知終了後に、接触子がツボ位置から外れも、検知したツボ位置の把握が容易であり、ツボ位置への鍼灸処置がし易くなる。
（８）片手で保持可能なペン形にすれば使い易い。
【００２８】
本発明の人体部位（保湿）検知方法、人体部位（保湿）検知器、人体部位（保湿）検知装置の場合は次のような効果がある。
（１）皮膚の保湿状況を把握できるので、皮膚管理ができ、化粧品の選択、使用に役立つ。
（２）外出先でも手軽に保湿測定ができる。
【００２９】
本発明の人体部位（体温）検知方法、人体部位（体温）検知器、人体部位（体温）検知装置の場合は次のような効果がある。
（１）外出先でも手軽に体温測定ができる。
（２）計測した体温を携帯端末機に記憶させて蓄積し、蓄積データを表、グラフ等で表示できるので、特に、女性の体温管理に便利である。
【図面の簡単な説明】
【００３０】
【図１】（ａ）は本発明の人体部位（ツボ）検知装置の一例を示す斜視図、（ｂ）はプラグの詳細説明図。
【図２】本発明の人体部位（ツボ）検知方法の一例を示すフロー図。
【図３】（ａ）はツボ検知時の電流レベルを波形で表示した場合の説明図、（ｂ）はツボ検知時の電流レベルをメータ表示した場合の説明図。
【図４】（ａ）は本発明の人体部位（保湿）検知装置の一例を示す斜視図、（ｂ）は保湿度の表示例。
【図５】本発明の人体部位（保湿）検知方法の一例を示すフロー図。
【図６】（ａ）は本発明の人体部位（体温）検知装置の一例を示す斜視図、（ｂ）は体温の表示例。
【図７】本発明の人体部位（体温）検知方法の一例を示すフロー図。
【図８】本発明の体温蓄積データの表示例。
【図９】本発明の人体部位（ツボ）検知器の一例を示すブロック図。
【図１０】本発明の人体部位（ツボ）検知器であって、ツボ検知機能と刺激信号発生機能を備えた場合であって、手動切替式の一例を示すブロック図。
【図１１】本発明の人体部位（ツボ）検知器であって、ツボ検知機能と刺激信号発生機能を備えた場合であって、手動切替式の他例を示すブロック図。
【図１２】本発明の人体部位（ツボ）検知器であって、ツボ検知機能と刺激信号発生機能を備えた場合であって、自動切替式を示すブロック図。
【図１３】（ａ）（ｂ）は本発明の人体部位（体温）検知器の異なる例のブロック図。
【図１４】（ａ）（ｂ）は本発明の人体部位（ツボ）検知器であって、マーキング機能付き検知器の異なる例の断面図、（ｃ）（ｄ）は（ａ）（ｂ）のマーキング機能で表示したマークの説明図。
【発明を実施するための形態】
【００３１】
（人体部位（ツボ）検知方法の実施形態）
本発明の人体部位検知方法（ツボ検知方法）の一例を図１〜図３を参照して説明する。このツボ検知方法は、人体の経穴（ツボ）が人体の他の部位よりもインピーダンスが低いことに着目して開発されたものであり、人体に印加されてツボを流れることにより変化する電流量（電流が多くなる）を検知（測定）することによって、ツボの位置を検知する方法である。
【００３２】
具体的には、図１（ａ）に示すように、携帯端末機Ｘと、携帯端末機Ｘで動作するアプリと、ペン型のツボ検知器１を使用する場合である。
【００３３】
携帯端末機Ｘにはスマートフォン（iPhone（登録商標）を含む：明細書及び特許請求の範囲において同じ。）、タブレット型端末機（iPad、iPad Air、iPad-mini、Nexus、Surface（いずれも登録商標）等を含む：明細書及び特許請求の範囲において同じ。）、携帯型ゲーム機（PSP、Wii U、任天堂DS（いずれも登録商標）等を含む：明細書及び特許請求の範囲において同じ。）等を使用することができる。
【００３４】
前記アプリはダウンロードやアプリが記憶されているメモリの外付け等により携帯端末機Ｘに入力される。
【００３５】
前記携帯端末機Ｘは、汎用のものであり、各種電気回路、記憶デバイス、ＣＰＵ等が内蔵されている。
【００３６】
この実施形態は、携帯端末機Ｘから出力される信号（音声信号）を人体への入力信号（測定信号：例えば、２０Ｈｚ〜数十ｋＨｚ）として使用する方法であり、ツボ検知器１（図１（ａ））を使用して、図２に示すステップでツボを検知することができる。
【００３７】
（１）前記アプリにより、前記音声信号中の所望周波数帯域（例えば２０Ｈｚ〜数十ｋＨｚ）の信号をフィルタリングして、人体に印加する信号（測定信号）として生成するステップ（STEP001）。
（２）前記測定信号を、携帯端末機ＸのジャックＹに接続されたツボ検知器１の出力電極６から人体に印加するステップ（STEP002）。
（３）人体に印加された出力信号が、人体の別の部位から前記ツボ検知器１の入力電極５に入力されるステップ（STEP003）。
（４）入力電極５に入力された入力信号をジャックＹから携帯端末機Ｘに送り、前記アプリにより、測定信号の周波数帯域と同じ周波数帯域の信号を抽出（フィルタリング）して検知信号を生成するステップ（STEP004）。
（５）前記検知信号を、前記アプリにより、携帯端末機ＸのディスプレイＤに図３（ａ）（ｂ）のように表示するステップ（STEP005）。
【００３８】
前記STEP004において、入力信号から測定信号の周波数帯域と同じ周波数帯域の信号を抽出して検知信号を生成するのは、測定信号の変化を正確に確認できるようにするためである。この生成により、人体から入力される信号に含まれる不要信号（ノイズ）が除去される。入力信号のフィルタリングには、例えばＦＦＴ解析（高速フーリエ変換）や他のフィルタリング方法を用いることができる。（以下の測定、検知において同じ）。前記ディスプレイＤに表示された検知信号を目視して電流変化を確認し、電流変化の大きい部位（電流が大きくなった部位）をツボとして認識することができる。
【００３９】
前記ツボ検知方法では、ツボ検知後にツボ検知器１を人体から離すと、検知されたツボ位置が不明になるおそれがある。そこで、この実施形態では、検知されたツボ位置にマークを表示して、ツボ位置を目視で確認できるようにする。表示方法、表記については後述する。
【００４０】
（人体部位（保湿）検知方法の実施形態）
本発明の人体部位検知方法（保湿検知方法）の一例を、図４、図５を参照して説明する。この保湿検知方法は、人体の皮膚、特に顔や手などの皮膚の水分量（保湿量、保湿度）を検知する方法である。皮膚の水分量（保湿量）が多い場合は、少ない場合（乾燥状態）よりもインピーダンスが低くなることから、皮膚（人体）に電流を流すと、保湿量が多い時は電流が多くなり、保湿量が少ないときは電流が少なくなる。この電流量を検知（測定）して皮膚の保湿量の多寡（保湿度の高低）を検知する方法である。
【００４１】
具体的には、図４（ａ）に示すようにペン型の保湿検知器１０のプラグ４を携帯端末機ＸのジャックＹに接続して、図５に示すステップで保湿度を検知する方法である。
（１）前記アプリにより、携帯端末機Ｘから出力される音声信号中から、所望周波数帯域の信号をフィルタリングして、人体に印加する信号（測定信号）を生成するステップ（STEP001）。
（２）前記測定信号を、携帯端末機ＸのジャックＹに接続されている保湿検知器１０の出力電極６から人体に印加するステップ（STEP002）。
（３）人体に印加された測定信号が、人体の別の部位から、前記保湿検知器１０の入力電極５に入力されるステップ（STEP003）。
（４）入力電極５に入力された入力信号から、前記アプリにより、測定信号の周波数帯域と同じ周波数帯域の信号を抽出（フィルタリング）して検知信号を生成するステップ（STEP004）。
（５）前記検知信号を、前記アプリにより処理して保湿度を演算処理、解析等（以下「処理」という）して、図４（ｂ）のように、携帯端末機ＸのディスプレイＤに表示するステップ（STEP005）。
前記ディスプレイＤに表示された保湿度を目視して、皮膚の保水状態を認識することができる。検知された保湿度は、測定するたびに、前記アプリにより、携帯端末機Ｘに記憶（蓄積）しておき、その蓄積データを前記表形式、グラフ形式といった各種形式に変換して携帯端末機ＸのディスプレイＤに表示することもできる。
【００４２】
（人体部位（体温）検知方法の実施形態）
本発明の人体部位検知方法（体温検知方法）の一例を図６、図７に基づいて説明する。この体温検知方法は、体温の高低により人体に流れる電流量が変化することを利用して体温を検知（測定）する方法である。
【００４３】
具体的には、図６（ａ）に示すペン型の体温検知器２０のプラグ４を携帯端末機ＸのジャックＹに接続して、図７に示すステップで体温を検知する方法である。
（１）前記アプリにより、携帯端末機Ｘから出力される音声信号中から所望周波数帯域の信号を測定信号として生成するステップ（STEP001）。
（２）前記測定信号を、携帯端末機ＸのジャックＹに接続されているプラグ４からペン型の体温検知器２０（体温センサ：例えば、サーミスタを内蔵）に印加する。
（３）体温検知器２０を人体の検温したい部位に宛てて（接触させて）、体温により変化する体温センサの電圧変化（サーミスタは温度変化によりインピーダンスが変化するため測定信号が変動する：検知信号）を検知する。
（４）前記検知信号を、プラグ４-ジャックＹ‐携帯端末機Ｘに入力して、前記アプリにより、測定信号の周波数帯域と同じ周波数帯域の信号を抽出（フィルタリング）して検知信号を生成し、その信号を処理して、図６（ｂ）のように携帯端末機ＸのディスプレイＤに表示するステップ（STEP005）。
【００４４】
検知された体温は、測定するたびに、携帯端末機Ｘに記憶（蓄積）しておき、その蓄積データを前記アプリにより、表形式、グラフ形式といった各種形式に変換して携帯端末機ＸのディスプレイＤに図８のように表示することもできる。
【００４５】
（人体部位（ツボ）検知器の実施形態１）
本発明の人体部位検知器（ツボ検知器）１の一例を、図面を参照して説明する。このツボ検知器１は図１（ａ）のように、携帯端末機ＸのジャックＹに接続して使用するものである。携帯端末機Ｘには、スマートフォンやタブレット型端末機、携帯型ゲーム機のように、イヤホンジャックＹが標準装備されたものが含まれ、後述するアプリが動作するものを意味する。アプリの入力は、ダウンロードやアプリが記憶されているメモリの外付け等により行われる。
【００４６】
一例として図１（ａ）に示すツボ検知器１は、ペン型の本体２とその本体２に接続されたコード３と当該コード３の先端に設けられたプラグ４を備えている。プラグ４は前記ジャックＹに着脱可能である。図１（ａ）のプラグ４は汎用のイヤホンプラグと同じものであり、図１（ｂ）のように、Ｌ端子、Ｒ端子、ＭＩＣ端子、ＧＮＤ端子を備えている。
【００４７】
前記本体２は、携帯端末機Ｘから出力される測定信号を人体に出力（印加）する出力電極６と、人体に流れた信号が入力する入力電極５を備えている。出力電極６と入力電極５は絶縁材製の本体ケース７に設けられ、出力電極６と入力電極５の夫々に保護回路８、９（図９）が接続されている。
【００４８】
ツボ検知器１は図１（ａ）のように使用者が本体２の入力電極５を片手で持ち、出力電極６（出力電極６と入力電極５は極を逆転させて使用しても良い）を使用者の一部に接触させると、携帯端末機Ｘから出力される測定信号（電流）がプラグ４のＬ端子又はＲ端子‐保護回路８（図９）を通して出力電極６から人体に出力（印加）され、人体に流れた測定信号（電流）が人体から入力電極５に入力し、保護回路９（図９）‐プラグ４のＭＩＣ端子を通して携帯端末機Ｘに伝送されるようにしてある。保護回路８、９は入力電極５及び出力電極６に異常信号が印加されても、その異常信号を減衰させ携帯端末機Ｘを保護するためのものである。
【００４９】
［マーキング機能］
本発明では、前記ツボ検知装置でツボを検知した後に、検知したツボ位置に目印（マーク）を表示すると便利である。本発明ではツボ検知器１にマーキング機能を付加することもできる。その一例を図１４に示す。図１４（ａ）（ｂ）において７は本体ケース、４０は絶縁材、４１はバネ、４２はインク壺、４３は印字体、４４は入力電極５（又は出力電極６）である。図１４（ａ）では本体ケース７、絶縁材４０、インク壺４２、印字体４３は円筒状であり、絶縁材４０の内側にバネがあり、バネ４１の下に入力電極５（又は出力電極６）が配置されておいる。図１４（ａ）のツボ検知器１では、入力電極５（又は出力電極６）を人体に接触させた状態で、本体ケース７を人体側に強く押すと、印字体４３が降下して人体に押し付けられて図１４（ｃ）のように印字体４３のリング状の輪郭が人体に表示されるようにしてある。この場合、印字体４３はインク壺４２内のインクを含んでおり、そのインクの色（例えば、赤色、ピンク色等の任意の色）で人体に輪郭（マーク）４４が表示されるようにしてある。図１４（ｂ）のツボ検知器１では、入力電極５（又は出力電極６）を人体に接触させた状態で、本体ケース７を人体側に強く押すと、印字体４３が降下して人体に押し付けられて図１４（ｄ）のように印字体４３の丸棒状の押し跡が人体に表示されるようにしてある。この場合も、印字体４３はインク壺４２内のインクを含んでおり、そのインクの色（例えば、赤色、ピンク色等の任意の色）で人体に輪郭が表示（マーク）される。図１４（ａ）（ｂ）のいずれの場合も、本体ケース７の押しを開放すると、印字体４３が自動的に本体ケース７内に入る（復帰する）。
【００５０】
（人体部位（ツボ）検知器の実施形態２：ツボ検知及び刺激信号切替え（手動切替え１））
本発明のツボ検知器１は前記ツボ検知機能の他に、人体に刺激を与える刺激信号を発生する刺激信号発生回路（刺激信号発生機能）を設けたものであってもよい。刺激信号発生回路には低周波パルス信号（電流）発生回路３０（図１０）を使用することができる。低周波パルス信号（電流）発生回路３０はツボ検知器１の本体ケース７（図１（ａ））内に収納する。この場合、ツボ検知器１の本体ケース７に切替え器３１（図１０）を設けて、その切替え器３１をツボ側と刺激側に切替可能としてある。
【００５１】
［ツボ検知］
切替え器３１をツボ側（図１０の上側）に設定すると、ジャックＹ（図１（ａ））‐ツボ検知器１（図１（ａ））のプラグ４のＬ端子（Ｒ端子でも可）‐切替え器３１‐保護回路８‐出力電極６から人体に測定信号が出力され、人体を通過した測定信号が入力電極５から‐保護回路９‐ジャックＹのＭＩＣ端子に帰還してツボ位置を検知することができる。
【００５２】
［刺激信号切え替］
切替え器３１を刺激側（図１０の下側）に切替えると、切替え器３１‐電源（電池）Ｅによる低周波パルス電流発生回路（出力）３０の駆動、刺激信号の発生‐出力電極６、の刺激信号出力経路が形成されて、人体に刺激信号が印加される（流れる）。この場合、先に検知されたツボに刺激電流を流すことによりツボに確実に刺激を与えることができる。切替えスイッチＳＷ（図１０）の切替え操作は手動で行うことができる。
【００５３】
（人体部位（ツボ）検知器の実施形態３：ツボ検知及び刺激信号切替え（手動切替え２））
ツボ検知及び刺激信号の切替えは図１１の構成で行うこともできる。
【００５４】
［ツボ検知］
図１１の構成でツボを検知するには、切替え器３１を出力側（図１１の上側）に設定する。この場合、ジャックＹ（図１（ａ））‐ツボ検知器１（図１（ａ））のプラグ４のＬ端子（Ｒ端子でも可）‐切替え器３１‐保護回路８‐出力電極６から人体に測定信号が出力され、人体を通過した測定信号が入力電極５から‐保護回路９‐ジャックＹのＭＩＣ端子に帰還してツボ位置を検知することができる。
【００５５】
［刺激信号切替え］
切替え器３１を刺激側（図１１の下側）に切替えると、切替え器３１‐電源（電池）Ｅによる低周波パルス電流発生回路（出力）３０の駆動‐刺激信号の発生‐出力電極６‐人体‐入力電極５‐低周波パルス発生回路（対極）３２の刺激信号出力経路が形成されて、人体に刺激信号が印加される（流れる）。この場合も、先に検知されたツボに刺激電流を流すことによりツボに確実に刺激を与えることができる。切替えスイッチＳＷ（図１１）の切替え操作は手動で行うことができる。
【００５６】
（人体部位（ツボ）検知器の実施形態４：ツボ検知及び刺激信号切替え（自動切替え））
ツボ検知及び刺激信号の切替えは図１２の構成で行うこともできる。図１２はツボ検知の終了が自動的に検知されて、自動的に、刺激発生に切替わるようにしたものである。
【００５７】
［ツボ検知］
図１２の構成でツボを検知するには、切替え器３１を出力側（図１２の上側）に設定する。この場合、ジャックＹ（図１（ａ））‐ツボ検知器１（図１（ａ））のプラグ４のＬ端子（Ｒ端子でも可）‐切替え器３１‐保護回路８‐出力電極６から人体に測定信号が出力され、人体を通過した測定信号が入力電極５から‐保護回路９‐ジャックＹのＭＩＣ端子に帰還してツボ位置を検知することができる。
【００５８】
［刺激信号切替え］
図１２は切替え器３１に半導体スイッチＴｒを使用して、ツボ検知が終了する（検出信号のレベルが最大になる：ツボ検知）と、測定信号に使用していない端子（図１２の場合R端子）からの信号で前記半導体スイッチＴｒを自動的に作動させ、切替え器３１が自動的に刺激側（図１２の下側）に切替わるようにしてある。この測定信号に使用していない端子（図１２の場合R端子）の信号の生成は携帯端末機Ｘにダウンロード又はインストールされたアプリが行う。
【００５９】
図１２の切替え器３１が自動的に刺激側（図１２の下側）に切替わると、切替え器３１‐電源（電池）による低周波パルス電流発生回路（出力）３２の駆動、刺激信号の発生‐出力電極６、の刺激信号出力経路が形成されて、人体に刺激信号が印加される（流れる）。この場合も、先に検知されたツボに刺激電流を流すことによりツボに確実に刺激を与えることができる。
【００６０】
前記説明は、刺激信号が低周波パルス電流発生回路４０から発生する低周波パルス信号(断続信号)の場合である。この場合は、携帯端末機Ｘから出力可能な音声出力を、昇圧回路（図示しない）で昇圧してパルス信号として用いることもできる。刺激信号は他の電気的な刺激（連続信号）であってもよい。刺激は機械的振動、温灸等であってもよい。機械的振動の場合は電気信号発生回路に代えて振動発生機構（例えば、バイブレータ）を駆動させることにより発生させることができ、温灸の場合は電気信号発生回路に代えて発熱回路を作動させて温灸に代わる熱を発生させることができる。
【００６１】
（人体部位（ツボ）検知装置の実施形態）
本発明の人体部位検知装置（ツボ検知装置）は、携帯端末機Ｘと、ツボ検知器１と、アプリを備える。携帯端末機Ｘは汎用のスマートフォン、タブレット型端末機、携帯型ゲーム機であり、音声信号発生回路をはじめとする標準機能（回路）が装備されており、ジャックＹが標準装備されている。
【００６２】
ツボ検知器１は前記実施形態のツボ検知装置である。図１（ａ）のツボ検知器１はペン型の本体２と、本体ケース７に出力電極６と入力電極５を備え、本体２に接続されたコード３と、当該コード３の先端に設けられたプラグ４を備えている。出力電極６と入力電極５の夫々には保護回路８、９（図９）が接続されている。
【００６３】
本発明のツボ検知装置では、前記プラグ４を図１（ａ）のように携帯端末機ＸのジャックＹに接続して使用する。使用者は本体２の入力電極５を片手で持ち、出力電極６（出力電極６と入力電極５は極を逆転させて使用しても良い）を使用者の一部に接触させる。これにより、ジャックＹ‐プラグ４のＬ端子又はＲ端子‐保護回路８（図９）‐出力電極６（図９）‐人体の出力電極接触部位（図１）‐人体の入力電極接触部位（図１）‐入力電極６（図９）‐保護回路９（図９）‐プラグ４のＭＩＣ端子‐ジャックＹ‐携帯端末機Ｘの閉回路が構成され、携帯端末機Ｘから出力される測定信号がプラグ４のＬ端子又はＲ端子‐保護回路８（図９）を通して出力電極６から人体に出力（印加）されて人体に流れた電流が変化した信号（検出信号）となる。この検出信号は人体から入力電極５（図９）に入力し、保護回路９（図９）‐プラグ４のＭＩＣ端子を通して携帯端末機Ｘに伝送され、携帯端末機Ｘのアプリにより処理されて、リアルタイムで、図３（ａ）（ｂ）のように、携帯端末機ＸのディスプレイＤに表示されるようにしてある。
【００６４】
［ツボ検知用プログラム：アプリケーションソフト］
ツボ検知用のアプリは、携帯端末機Ｘ上で動作するプログラムであり、少なくとも、携帯端末機Ｘの音声信号発生回路から発生可能な音声信号中の、所定周波数帯域の信号を生成して測定信号とする機能（測定信号生成機能）と、人体から前記ツボ検知器１の入力電極５に入力される入力信号から、前記測定信号と同じ周波数帯域の信号を抽出して検知信号を生成する機能（検知信号生成機能：ノイズ除去機能）と、検知信号を処理する処理機能と、処理された検知信号を波形やレベル（図３（ａ）（ｂ））として携帯端末機ＸのディスプレイＤ（図１）に表示する表示機能を備える。このアプリは、携帯端末機Ｘに前記したダウンロード、アプリ記憶媒体の外付け等々の方法で入力することができる。
【００６５】
前記測定信号の周波数は２０Ｈｚ〜数十ｋＨｚ程度が適し、携帯端末機Ｘから発生可能な音声信号から、当該周波数の信号を、例えば、ＦＦＴ解析（高速フーリエ変換）して生成することができる。
【００６６】
前記検知信号生成機能は、人体から入力電極５に入力された入力信号から、前記測定信号と同じ又は略同じ周波数帯域の信号、できれば測定信号と同一周波数の信号を抽出するものである。この周波数成分の抽出にも、例えば、高速フーリエ変換を用いることができる。測定信号の周波数と同一或いはその付近の周波数帯域の信号を抽出することによって、入力信号に含まれるノイズ等の影響を受けずに検知信号を正確に検知することができる。
【００６７】
前記表示機能は検知信号を携帯端末機ＸのディスプレイＤに、図３（ａ）（ｂ）に示すように表示させるものである。この場合、図３（ａ）（ｂ）のように、ディスプレイＤにレベル表示部１３を設けてそのレベル表示部１３に前記検知信号を音声信号レベルの強弱として表示できるようにすることもできる。前記表示機能はディスプレイＤに検知信号を波形表示させるだけでなく、図３（ａ）に示すように感度調整部１４をも表示して、その感度調整部１４への表示を視認しながら、携帯端末機Ｘで感度調整（強度調整）できる機能を備えたものとすることもできる。図３（ａ）に示したレベル表示部１３には有効ツボレベル（有効領域）があり、信号波形が当該有効レベルに表示された場合に、ツボが検知されたことを確認できるようにしてある。表示は図４（ｂ）、図６（ｂ）のようにデジタル表示することも、図８（ｂ）のようにグラフ表示することもできる。本発明では表示項目、表示内容に応じて他の表示形式にすることもできる。
【００６８】
前記表示機能は検知信号を携帯端末機ＸのディスプレイＤに、図３（ｂ）に示すようにメータ式で表示させることもできる。この場合も、有効ツボレベル（有効領域）を設けて、指針が当該有効レベルを指示した場合に、ツボが検知されたことを確認できるようにしてある。
【００６９】
（人体部位（保湿）検知器の実施形態）
本発明の人体部位検知器（保湿検知器）は図４に示すようにペン型であり、この構成はツボ検知器１（図１（ａ））と同じである。
【００７０】
図４の保湿検知器１０はペン型の本体７と、本体ケースに出力電極６と入力電極５を備え、本体２に接続されたコード３と、当該コード３の先端に設けられたプラグ４を備えている。出力電極６と入力電極５の夫々には保護回路８、９（図９）が接続されている。
【００７１】
保湿検知器１０は図４（ａ）のように、プラグ４を携帯端末機ＸのジャックＹに接続して使用する。使用者が本体７を片手で持ち、入力電極５と出力電極６の設置された検出部１１を使用者の一部に接触させると、ジャックＹ‐プラグ４のＬ端子又はＲ端子‐保護回路８（図９）‐出力電極６（図９）‐人体の出力電極接触部位（図４）‐人体の入力電極接触部位（図４）‐入力電極５（図９）‐プラグ４のＲ端子又はＬ端子‐ジャックＹ‐携帯端末機Ｘの閉回路が構成され、携帯端末機Ｘから出力される測定信号（測定電圧：ツボ検知用の信号と同様の信号）がプラグ４のＬ端子又はＲ端子‐保護回路８（図９）を通して出力電極６から人体に出力（印加）されて人体に流れ、人体の保湿度により変化した信号（検出信号）となる。この検出信号は人体から入力電極５（図９）に入力し、保護回路９（図９）‐プラグ４のＭＩＣ端子を通して携帯端末機Ｘに伝送されるようにしてある。この保護回路８、９（図９）も入力電極５及び出力電極６に異常信号が印加されても、その異常信号を減衰させ携帯端末機Ｘを保護するためのものである。
【００７２】
（人体部位（保湿）検知装置の実施形態）
本発明の人体部位検知装置（保湿検知装置）は、携帯端末機Ｘを利用すること、ペン型の保湿検知器１０（図４（ａ））を使用することにおいてツボ検知装置と同じである。異なるのは、携帯端末機Ｘのアプリの機能である。
【００７３】
図４（ａ）の保湿検知器１０は図１（ａ）のツボ検知器１と同じ構成であり、ペン型の本体２と、本体ケース７に出力電極６と入力電極５を備え、本体２に接続されたコード３と、当該コード３の先端に設けられたプラグ４を備えている。出力電極６と入力電極５の夫々には保護回路８、９（図９）が接続されている。
【００７４】
本発明の保湿検知装置では、前記保湿検知器１０のプラグ４を図４（ａ）のように携帯端末機ＸのジャックＹに接続して使用する。使用者は本体２を片手で持ち、入力電極５と出力電極６を使用者の一部に接触させる。これにより、ジャックＹ‐プラグ４のＬ端子又はＲ端子‐保護回路８（図９）‐出力電極６（図９）‐人体の出力電極接触部位（図４（ａ））‐人体の入力電極接触部位（図４（ａ））‐入力電極５（図９）‐保護回路９（図９）‐プラグ４のＭＩＣ端子‐ジャックＹ‐携帯端末機Ｘの閉回路が構成され、携帯端末機Ｘから出力される測定信号（測定電圧：ツボ検知用の信号と同様の信号）がプラグ４のＬ端子又はＲ端子‐保護回路８（図９）を通して出力電極６から人体に出力（印加）されて人体に流れ、人体の保湿度により変化した信号（検出信号）となる。この検出信号は人体から入力電極５（図９）に入力し、保護回路９（図９）‐プラグ４のＭＩＣ端子を通して携帯端末機Ｘに伝送され、携帯端末機Ｘのアプリにより処理されて、リアルタイムで、図４（ｂ）のように、携帯端末機ＸのディスプレイＤに表示されるようにしてある。前記アプリは基本的には、図１（ａ）のツボ検知に使用するアプリと同じであるが、検知信号の解析（処理）機能が保湿度解析機能であること、表示機能が保湿度表示機能であること、データ蓄積機能があること、蓄積データをグラフ、表等の各種表示形式に変換して表示させ得ることができる機能であることにおいて異なる。
【００７５】
（人体部位（体温）検知器の実施形態）
本発明の人体部位検知器（体温検知器）は、体温の高低により体温検知器の体温センサ（例えばサーミスタ）のインピーダンスが変化して、サーミスタに流れる電流が変化することを利用して体温を検知するものである。
【００７６】
体温検知器２０（図６）は本体２１とそれに接続されたコード３と、当該コード３の先端に設けられたプラグ４を備えている。体温検知器２０は図１３（ａ）（ｂ）に示すように抵抗ＲとサーミスタＳが直列接続されて本体２１に内蔵されており、携帯端末機Ｘからプラグ４のＬ端子又はＲ端子と接地端子（ＧＮＤ）間に供給される測定電圧が、抵抗ＲとサーミスタＳで分圧されるようにしてある。サーミスタＳは温度変化によりそのインピーダンスが変化するため、図１３（ａ）（ｂ）の分圧電圧Ｖ１、Ｖ２が変動する。この分圧電圧がプラグ４のＭＩＣ端子から携帯端末機Ｘに入力されるようにしてある。
【００７７】
（人体部位（体温）検知装置の実施形態）
本発明の人体部位検知装置は体温検知装置であり、携帯端末機Ｘを利用することにおいてツボ検知装置と同じである。異なるのは、携帯端末機Ｘのアプリの機能と、体温検知器である。
【００７８】
本発明の体温検知装置では、前記体温検知器２０のプラグ４を図６（ａ）のように携帯端末機ＸのジャックＹに接続して使用する。使用者は体温検知器２０を使用者の検温部位に接触させて、サーミスタで体温を検知（測定）する。このとき、体温変化によりサーミスタのインピーダンスが変化して、図１３（ａ）（ｂ）の分圧電圧Ｖ１、Ｖ２が変動する。この分圧電圧がプラグ４のＭＩＣ端子から携帯端末機Ｘに入力され、携帯端末機Ｘのアプリにより処理されて、リアルタイムで、図６（ｂ）のように、携帯端末機ＸのディスプレイＤに表示されるようにしてある。前記アプリは基本的には、図１（ａ）のツボ検知に使用するアプリと同じであるが、検知信号の解析（処理）機能が体温処理機能であること、データ蓄積機能があること、蓄積データをグラフ、表等の各種表示形式に変換して表示させ得ることができる機能であることにおいて異なる。
【産業上の利用可能性】
【００７９】
前記実施形態はあくまでも一例であり、本発明の目的を達成できれば、実施形態以外の構造、形状、機能、材質等に代えることができる。
【符号の説明】
【００８０】
１    ツボ検知器
２    本体
３    コード
４    プラグ
５    入力電極
６    出力電極
７    本体ケース
８    保護回路
９    保護回路
１０    保湿検知器
１１    検出部
１３    レベル表示部
１４    感度調整部
２０    体温検知器
２１    （体温検知器の）本体
３０    低周波パルス信号（電流）発生回路（出力側）
３１    切替え器
３２    低周波パルス信号（電流）発生回路（対極側）
４０    絶縁材
４１    バネ
４２    インク壺
４３    印字体
４４    輪郭（マーク）
Ｄ    ディスプレイ
Ｅ    電源（電池）
Ｒ    抵抗
Ｓ    サーミスタ
ＳＷ    切替えスイッチ
Ｔｒ    半導体スイッチ
Ｘ    携帯端末機
Ｙ    （イヤホン）ジャック
【要約】
【課題】  携帯端末機のジャックに接続して身体のツボ、保湿度、体温を検知できるようにする。
【課題解決手段】  携帯端末機から発生可能な信号中の特定周波数の信号を、携帯端末機のアプリにより測定信号として生成し、携帯端末機のジャックに出力して当該ジャックに接続されたツボ検知器の出力電極に供給し、出力電極を人体に接触させて出力電極から人体に前記測定信号を印加し、ツボ検知器の入力電極を人体に接触させて、人体に流れた測定信号をツボ検知器の入力電極で受信し、出力電極を移動させて人体への接触部位を変えて人体から得られる検知信号の変化を検知し、変化の大きな部位をツボとして検知するようにした。
【選択図】    図１【図１】
0005612788.tif 000002
【図２】
0005612788.tif 000003
【図３】
0005612788.tif 000004
【図４】
0005612788.tif 000005
【図５】
0005612788.tif 000006
【図６】
0005612788.tif 000007
【図７】
0005612788.tif 000008
【図８】
0005612788.tif 000009
【図９】
0005612788.tif 000010
【図１０】
0005612788.tif 000011
【図１１】
0005612788.tif 000012
【図１２】
0005612788.tif 000013
【図１３】
0005612788.tif 000014
【図１４】
0005612788.tif 000015